(57)【要約】【課題】脚周りからの漏れを抑制することを可能とした使い捨ておむつを提供する。【解決手段】前後方向に延びる第１弾性部材２１Ｅと、第１弾性部材２１Ｅを挟み込むサイドシート２１Ｓとを有する立体ギャザー２１と、前後方向に延びる第２弾性部材２３Ｅと、第２弾性部材２３Ｅを挟み込むシート側縁部１８Ａとを有するレグギャザー２３とを備え、外装体の内側に設けられるポケットの内側には、立体ギャザー２１およびレグギャザー２３の前後方向における端部が位置し、立体ギャザー２１は、第１弾性部材２１Ｅを挟んだサイドシート２１Ｓが吸収性本体１６に接着される基端部２１Ｂを備える。ポケットの内側に、立体ギャザー２１およびレグギャザー２３の前後方向における端部が位置し、サイドシート２１Ｓは、股下部に液透過性部を備えている。【選択図】図５
2019111264.tif 000002
【特許請求の範囲】
【請求項１】
前見頃を構成する第１外装体と、
後身頃を構成する第２外装体と、
前記第１外装体および前記第２外装体と重なる前後方向の端部領域と、前記第１外装体と前記第２外装体との間に位置する股下部とを有する吸収性本体と、
前記吸収性本体の少なくとも一方の前記端部領域に位置し、前記股下部を向いた開口端を有するポケットと、
前記吸収性本体の内面で、かつ、前記前後方向に沿う各側縁部に沿って設けられる立体ギャザーであって、当該各立体ギャザーが、前記前後方向に延びる第１弾性部材と、前記第１弾性部材を挟み込む第１シートとを有する前記立体ギャザーと、
前記吸収性本体の前記前後方向に沿う各側縁部に設けられるレグギャザーであって、当該各レグギャザーが、前記前後方向に延びる第２弾性部材と、前記第２弾性部材を挟み込む第２シートとを有する前記レグギャザーとを備え、
前記ポケットの内側に、前記立体ギャザーおよび前記レグギャザーの前記前後方向における端部が位置し、
前記第１シートは、少なくとも前記股下部に液透過性部を備えている使い捨ておむつ。
【請求項２】
前記立体ギャザーは、前記第１弾性部材を挟んだ前記第１シートが前記吸収性本体に接着される基端部を備え、
前記基端部は、前記レグギャザーと重なっている
請求項１に記載の使い捨ておむつ。
【請求項３】
前記立体ギャザーが前記吸収性本体に対して立ち上がった状態において、前記液透過性部は、前記吸収性本体の左右方向において、前記左右方向の中心線から外側に向かって液不透過性であり、外側から前記中心線に向かって液透過性である
請求項１または２に記載の使い捨ておむつ。
【請求項４】
前記吸収性本体は、肌に接するトップシートと、前記肌とは反対側のバックシートと、前記トップシートと前記バックシートとの間に位置する吸収体とを備え、
前記第２弾性部材は、複数本設けられており、
前記吸収性本体の左右方向において最も外側に位置する前記第２弾性部材は、前記吸収性本体の左右方向において、前記バックシートの外側に位置している
請求項１ないし３のうち何れか１項に記載の使い捨ておむつ。
【請求項５】
前記第１外装体および前記第２外装体のうち少なくとも一方の外装体は、前記使い捨ておむつの胴周り部を構成する上部領域と下部領域とを備え、
前記上部領域は、前記端部領域に対して内側に位置する内側弾性部を備え、
前記下部領域は、前記端部領域に対して外側に位置する外側弾性部を備え、
前記内側弾性部は、前記端部領域と重なる領域において非接着であり、前記端部領域の周囲において、前記端部領域に対して外側に位置しているシート部に対して接着されており、
前記内側弾性部と前記端部領域の間に、前記ポケットが構成されている
請求項１ないし４のうち何れか１項に記載の使い捨ておむつ。
【発明の詳細な説明】
【技術分野】
【０００１】
本発明は、立体ギャザーおよびレグギャザーを備えた使い捨ておむつに関する。
【背景技術】
【０００２】
特許文献１に示すように、吸収性物品としての使い捨ておむつは、前身頃を構成する第１外装体と、後身頃を構成する第２外装体と、第１外装体に接合される前端部と第２外装体に接合される後端部とを含む吸収性本体とを備えている。第１外装体と第２外装体とは、吸収性本体が２つに折曲され、第１および第２外装体の胴周り方向の両端部が互いに接合されることで、上端部に胴周り部を構成し、下端部に脚周り開口部を構成する。第１外装体および第２外装体には、胴周り部に胴周り方向に沿って糸ゴムなどの弾性部材が配置されている。また、吸収性本体は、吸収性本体の肌と接触する内面であって、前後方向に沿う両端部に立体ギャザーが配置されている。また、吸収性本体は、前後方向に沿う両側縁部において、前後方向に延びる弾性部材をシートで挟み込んで構成されたレグギャザーを備えている。レグギャザーは、装着時において、脚周り開口部に位置する。レグギャザーや立体ギャザーは、糸ゴムなどの弾性部材をシートで挟み込んで構成されている。
【先行技術文献】
【特許文献】
【０００３】
【特許文献１】特許第４９９６５０８号公報
【発明の概要】
【発明が解決しようとする課題】
【０００４】
ところで、使い捨ておむつは、排泄物が立体ギャザーとレグギャザーとの間の溝に流入してしまうことがある。立体ギャザーとレグギャザーとの間の溝に排泄物が流入した状態で、着用者が姿勢を変えると、脚周りに隙間を生じ、排泄物が脚周りから漏れる原因となる。
【０００５】
本発明は、脚周りからの漏れを抑制することを可能とした使い捨ておむつを提供することを目的とする。
【課題を解決するための手段】
【０００６】
上記課題を解決するための使い捨ておむつは、前見頃を構成する第１外装体と、後身頃を構成する第２外装体と、前記第１外装体および前記第２外装体と重なる前後方向の端部領域と、前記第１外装体と前記第２外装体との間に位置する股下部とを有する吸収性本体と、前記吸収性本体の少なくとも一方の前記端部領域に位置し、前記股下部を向いた開口端を有するポケットと、前記吸収性本体の内面で、かつ、前記前後方向に沿う各側縁部に沿って設けられる立体ギャザーであって、当該各立体ギャザーが、前記前後方向に延びる第１弾性部材と、前記第１弾性部材を挟み込む第１シートとを有する前記立体ギャザーと、前記吸収性本体の前記前後方向に沿う各側縁部に設けられるレグギャザーであって、当該各レグギャザーが、前記前後方向に延びる第２弾性部材と、前記第２弾性部材を挟み込む第２シートとを有する前記レグギャザーとを備え、前記ポケットの内側に、前記立体ギャザーおよび前記レグギャザーの前記前後方向における端部が位置し、前記第１シートは、少なくとも前記股下部に液透過性部を備えている。
【０００７】
上記構成によれば、排泄物はポケットの方向へ流れ、吸収体に吸収されるまで貯留される。着用者が姿勢を変えたとき、排泄物は、ポケットの左右方向のコーナ部へと流れ、ここから立体ギャザーとレグギャザーとの間の溝へ流入する。溝に流入した排泄物は、立体ギャザーを構成する第１シートの液透過性部を透過して吸収性本体の内側（中心線の方向）に戻り、吸収性本体に吸収される。したがって、脚周りからの横漏れすることを抑えることができる。
【０００８】
上記使い捨ておむつにおいて、前記立体ギャザーは、前記第１弾性部材を挟んだ前記第１シートが前記吸収性本体に接着される基端部を備え、前記基端部は、前記レグギャザーと重なっている構成としてもよい。
上記構成によれば、立体ギャザーの構造や吸収性本体に対する接着位置などは、既存のおむつと同じであることから、製造設備に変更を加える必要がなくなる。したがって、容易に製造することができる。
【０００９】
上記使い捨ておむつにおいて、前記立体ギャザーが前記吸収性本体に対して立ち上がった状態において、前記液透過性部は、前記吸収性本体の左右方向において、前記左右方向の中心線から外側に向かって液不透過性であり、外側から前記中心線に向かって液透過性である構成としてもよい。
上記構成によれば、サイドシートを左右方向の中心線から外側に向かって液不透過性であり、外側から中心線に向かって液透過性とすることによって、吸収性本体の両側に立ち上がった立体ギャザーより内側の領域に存在する排泄物が立体ギャザーの外側、すなわち溝側に流れにくくすることができる。
【００１０】
上記使い捨ておむつにおいて、前記吸収性本体は、肌に接するトップシートと、前記肌とは反対側のバックシートと、前記トップシートと前記バックシートとの間に位置する前記吸収体とを備え、前記第２弾性部材は、複数本設けられており、前記吸収性本体の左右方向において最も外側に位置する前記第２弾性部材は、前記吸収性本体の左右方向において、バックシートの外側に位置している構成としてもよい。
上記構成によれば、バックシートが存在しない部分は、バックシートが存在しない分、柔軟性が高まり、レグギャザーが立ち上がり易くなる。
【００１１】
上記使い捨ておむつにおいて、前記第１外装体および前記第２外装体のうち少なくとも一方の外装体は、前記使い捨ておむつの胴周り部を構成する上部領域と下部領域とを備え、前記上部領域は、前記端部領域に対して内側に位置する内側弾性部を備え、前記下部領域は、前記端部領域に対して外側に位置する外側弾性部を備え、前記内側弾性部は、前記端部領域と重なる領域において非接着であり、前記端部領域の周囲において、前記端部領域に対して外側に位置しているシート部に対して接着されており、前記内側弾性部と前記端部領域の間に、前記ポケットが構成されている構成としてもよい。
上記構成によれば、内側弾性部と前記端部領域の間に、ポケットを構成することができる。
【発明の効果】
【００１２】
本発明によれば、脚周りからの漏れを抑制することを可能とした使い捨ておむつを提供することができる。
【図面の簡単な説明】
【００１３】
【図１】本発明の吸収性本体を具体化した第１実施形態におけるパンツ型使い捨ておむつの斜視図。
【図２】（ａ）は、図１のパンツ型使い捨ておむつの展開状態を示す平面図、（ｂ）は、（ａ）の２Ｂ−２Ｂ線に沿った断面図。
【図３】（ａ）は、図１のおむつの上部領域の接着領域を図２（ａ）に対応して示す平面図、（ｂ）は、図１のおむつの下部領域の接着領域を図２（ａ）に対応して示す平面図。
【図４】図１のおむつが装着された状態の要部断面図。
【図５】（ａ）は図２（ａ）の５−５線に沿った断面図、（ｂ）は（ａ）の状態からレグギャザーが立ち上がった状態を示す図２（ａ）の５−５線に沿った断面図。
【図６】図１のパンツ型使い捨ておむつの展開状態において、排泄物の流れる方向を示す平面図。
【発明を実施するための形態】
【００１４】
図１ないし図６を参照して本発明における使い捨ておむつを具体化した一実施形態におけるパンツ型使い捨ておむつについて説明する。
図１に示すように、パンツ型使い捨ておむつ１０（以下、単に「おむつ１０」という。）は、人体の腹部形状に追従する形状を有する前身頃１０Ｆと、人体の背部形状に追従する形状を有する後身頃１０Ｒと、前身頃１０Ｆおよび後身頃１０Ｒを繋ぐ股下部１０Ｃとを備える。
【００１５】
前身頃１０Ｆにおいて股下部１０Ｃと反対側の部分は、人体の胴周りの部分を取り囲む胴周り部１０Ｗを構成し、上端に、胴周り開口部１０Ａを備えている。また、前身頃１０Ｆにおける左右両端部、後身頃１０Ｒにおける左右両端部、および、股下部１０Ｃにおける左右両端部は、人体の太股部分を取り囲む形状を有した左右一対の脚周り開口部１０Ｌを構成している。また、前身頃１０Ｆと後身頃１０Ｒの胴周り方向の左右両端部は、接合部１１となっている。
【００１６】
図２（ａ）は、パンツ型使い捨ておむつの展開状態を示す平面図、（ｂ）は、（ａ）の２Ｂ−２Ｂ線に沿った断面図である。なお、図２（ｂ）において、右側がおむつ装着者の肌側、すなわち装着者の肌に近い側となる。
【００１７】
前身頃１０Ｆにおける胴周り部１０Ｗは、腹側の第１外装体としての腹側外装体１２Ｆで構成され、後身頃１０Ｒにおける胴周り部１０Ｗは、背側の第２外装体としての背側外装体１２Ｒで構成されている。
【００１８】
腹側外装体１２Ｆおよび背側外装体１２Ｒは、胴周り方向である左右方向Ｘを長手方向とした矩形形状を有している。外装体を構成するシートは、一例として、ポリエチレン、ポリプロピレン、ポリエステル、その他の熱可塑性樹脂を原料とした合成繊維からなる不織布であり、また、透液性シート、不透液性シートの何れであってもよい。そして、腹側外装体１２Ｆは、腹側外装体１２Ｆを構成するシート間に腹側上部弾性部材１５ＦＵおよび腹側下部弾性部材１５ＦＤが挟まれて構成されている。背側外装体１２Ｒもまた、背側外装体１２Ｒを構成するシート間に背側上部弾性部材１５ＲＵおよび背側下部弾性部材１５ＲＤが挟まれて構成されている。これらの弾性部材１５ＦＵ，１５ＦＤ，１５ＲＵ，１５ＲＤは、天然ゴム、合成ゴム、ウレタンなどから選ばれる１つ以上の材料により形成された弾性体であり、糸状または紐状に形成されている。弾性部材１５ＦＵ，１５ＦＤ，１５ＲＵ，１５ＲＤは、複数本が互いに平行に、左右方向Ｘに沿って配置されている。
【００１９】
腹側外装体１２Ｆと背側外装体１２Ｒとは、股下部１０Ｃを構成する吸収性本体１６で連結される。吸収性本体１６は、前後方向Ｙを長手方向とした矩形形状を有している。図２（ｂ）に示すように、吸収性本体１６は、液不透過性を有したバックシート１７と、吸収体１８と、液透過性を有したトップシート１９と、バックシート１７に対して外側に重ねられるカバーシート２０とを備えている。おむつ１０において、トップシート１９は、着用者の肌と接する内側に配置され、バックシート１７は、吸収体１８に対して外側に配置され、カバーシート２０は、バックシート１７を覆うように、最外に配置される。そして、吸収性本体１６において、外側から、カバーシート２０、バックシート１７、吸収体１８、トップシート１９の順に重なっている。
【００２０】
バックシート１７を形成する材料は、例えば、液不透過性を有したポリエチレン樹脂製のフィルムである。バックシート１７は、通気性を確保するため、微細孔が多数形成されている。トップシート１９およびカバーシート２０を形成する材料は、例えば、織布、不織布、多孔性フィルムなどから選ばれる１以上の材料である。また、トップシート１９は、例えば、ポリプロピレン、ポリエチレン、ポリエステル、ナイロンのような熱可塑性樹脂の繊維であって親水化処理が施された繊維から構成される液透過性を有した不織布などが用いられる。カバーシート２０は、最外のシートであり、使用者に触れるシートであるため、手触り感を向上させる不織布などで構成されている。
【００２１】
吸収体１８は、前身頃１０Ｆ、股下部１０Ｃ、および、後身頃１０Ｒに跨るように細長い帯形状を有している。吸収体１８は、吸収性材料の成形体と、成形体を包むコアラップとで構成されている。吸収体１８を形成する吸収性材料の成形体は、例えば、フラッフパルプ、高吸収性ポリマー、親水性シートなどの吸収性材料を成形したものである。また、コアラップは、ティシュや不織布などで構成されている。そして、吸収体１８は、バックシート１７とトップシート１９との間に配置され接合される。吸収体１８は、腹側外装体１２Ｆと背側外装体１２Ｒとの間に延在され、腹側端部１８Ｆと背側端部１８Ｒとを備えている。腹側端部１８Ｆは、腹側上部領域１２ＦＵまで延在しており、背側端部１８Ｒは、背側上部領域１２ＲＵまで延在している。また、吸収体１８は、左右方向Ｘにおいて、立体ギャザー２１の基端部２１Ｂとレグギャザー２３との間にまで延在している。なお、吸収体１８において、コアラップは省略されていてもよい。
【００２２】
バックシート１７、トップシート１９、および、カバーシート２０は、吸収体１８に対して一周り大きな矩形形状を有したシートであり、吸収性本体１６は、吸収体１８が配置される中央領域と、吸収体１８が配置されておらず周辺部１８Ｂとを含む。吸収性本体１６における前後方向Ｙに延びる両側縁部は、吸収体１８が配置されていないシート側縁部１８Ａである。シート側縁部１８Ａは、一例として、バックシート１７、トップシート１９、および、カバーシート２０が重なって構成されている。また、シート側縁部１８Ａは、一例として、カバーシート２０の前後方向Ｙに延びる両側縁部を左右方向Ｘにおける中心線Ｐの方向となる内側に折り返して構成されている。また、吸収性本体１６の前後方向Ｙにおける外装体１２Ｆ，１２Ｒと重なる領域の内面と外面は、外装体を構成するシートが接着される端部領域１６Ａとなる。
【００２３】
腹側外装体１２Ｆは、腹側上部領域１２ＦＵと腹側下部領域１２ＦＤとを備えている。背側外装体１２Ｒも、背側上部領域１２ＲＵと背側下部領域１２ＲＤとを備えている。
図２（ｂ）に示すように、腹側上部領域１２ＦＵおよび背側上部領域１２ＲＵでは、腹側上部弾性部材１５ＦＵおよび背側上部弾性部材１５ＲＵが吸収性本体１６に対して内側、すなわちトップシート１９側に配置されており、胴周り開口部１０Ａや胴周り部１０Ｗの一部を構成している。腹側下部領域１２ＦＤおよび背側下部領域１２ＲＤでは、腹側下部弾性部材１５ＦＤおよび背側下部弾性部材１５ＲＤが吸収性本体１６に対して外側、すなわちバックシート１７やカバーシート２０側に配置されており、胴周り部１０Ｗの一部を構成している。
【００２４】
腹側上部領域１２ＦＵには、複数本の腹側上部弾性部材１５ＦＵが胴周り方向を長手方向としたシート間（腹側外部シート部２６Ｆと腹側内部シート部２５Ｆの間）において、左右方向Ｘにおける左右両端部に亘って伸長された状態で配置されている。背側上部領域１２ＲＵには、複数本の背側上部弾性部材１５ＲＵが左右方向Ｘを長手方向としたシート間（背側外部シート部２６Ｒと背側内部シート部２５Ｒとの間）において、左右方向Ｘにおける左右両端部に亘って伸長された状態で配置されている。
【００２５】
また、腹側下部領域１２ＦＤには、複数本の腹側下部弾性部材１５ＦＤが左右方向Ｘを長手方向としたシート間（腹側外部シート部２６Ｆと腹側内部シート部２５Ｆの間）において、左右方向Ｘにおける左右両端部に亘って配置されている。背側下部領域１２ＲＤには、複数本の背側下部弾性部材１５ＲＤが左右方向Ｘを長手方向としたシート間（背側外部シート部２６Ｒと背側内部シート部２５Ｒとの間）において、左右方向Ｘにおける左右両端部に亘って配置されている。これら弾性部材１５ＦＵ，１５ＦＤ，１５ＲＵ，１５ＲＤは、胴周り部１０Ｗにおいて、ウェストギャザーやタミーギャザーを構成し、腹漏れや背漏れの発生を抑制する。
【００２６】
図２（ｂ）に示すように、腹側下部領域１２ＦＤおよび背側下部領域１２ＲＤは、吸収性本体１６における端部領域１６Ａのカバーシート２０に直接接着されている。図２（ａ）に示すように、腹側下部弾性部材１５ＦＤは、端部領域１６Ａ上において、伸長していない状態、例えば切断された状態で配置されている。また、大半の背側下部弾性部材１５ＲＤは、端部領域１６Ａ上において、伸長していない状態、例えば切断された状態で配置されている。これにより、吸収性本体１６は、腹側下部弾性部材１５ＦＤおよび背側下部弾性部材１５ＲＤの収縮に合わせて吸収性本体１６が収縮し、吸収性本体１６にひだが形成されることを抑制することができる。そして、吸収性本体１６と肌との間に隙間が生じることを抑制でき、腹漏れや背漏れを抑制することができる。
【００２７】
複数本の背側下部弾性部材１５ＲＤのうちで背側上部領域１２ＲＵの近くにおいて背側上部領域１２ＲＵの下端部に沿って位置する複数本の背側下部弾性部材１５ＲＤ１は、吸収体１８の背側端部１８Ｒ上において、伸長した状態、すなわち切断されていない状態で配置されている。したがって、背側下部弾性部材１５ＲＤ１が配置された領域では、背側端部１８Ｒにひだ１６Ｂを形成することができる。ひだ１６Ｂが形成された背側端部１８Ｒでは、ひだ１６Ｂが形成されていない領域よりも吸収体１８の厚さが厚くなり、後述の背側ポケット３０Ｒの開口端が臀部に押されて塞がりにくくなる。また、ひだ１６Ｂを、背側ポケット３０Ｒに導くガイドとして機能させることができる。
【００２８】
図２（ｂ）に示すように、腹側上部領域１２ＦＵは、腹側上部弾性部材１５ＦＵをシート（腹側外部シート部２６Ｆと腹側内部シート部２５Ｆ）で挟み込んで腹側内側弾性部２７Ｆを構成している。また、腹側下部領域１２ＦＤも、腹側下部弾性部材１５ＦＤをシート（腹側外部シート部２６Ｆと腹側内部シート部２５Ｆ）で挟み込んで腹側外側弾性部２８Ｆを構成している。腹側上部領域１２ＦＵおよび腹側下部領域１２ＦＤは、腹側外部シート部２６Ｆと腹側内部シート部２５Ｆとによって、一連に繋がっている。
【００２９】
背側上部領域１２ＲＵは、背側上部弾性部材１５ＲＵをシート（背側外部シート部２６Ｒと背側内部シート部２５Ｒ）で挟み込んで背側内側弾性部２７Ｒを構成している。また、背側下部領域１２ＲＤも、背側下部弾性部材１５ＲＤをシート（背側外部シート部２６Ｒと背側内部シート部２５Ｒ）で挟み込んで背側外側弾性部２８Ｒを構成している。背側上部領域１２ＲＵおよび背側下部領域１２ＲＤは、背側外部シート部２６Ｒと背側内部シート部２５Ｒとによって、一連に繋がっている。
【００３０】
腹側外部シート部２６Ｆおよび背側外部シート部２６Ｒは、肌とは反対側の最も外側に位置するとともに、胴周り開口部１０Ａの部分で内側に折り曲げられて最も肌側に位置するシートである。腹側内部シート部２５Ｆおよび背側内部シート部２５Ｒは、腹側外部シート部２６Ｆおよび背側外部シート部２６Ｒに対向するシートである。
【００３１】
腹側内側弾性部２７Ｆを構成している腹側外部シート部２６Ｆおよび腹側内部シート部２５Ｆは、腹側上部弾性部材１５ＦＵおよび腹側下部弾性部材１５ＦＤを挟み込み、第１接着剤２４で接着されている。腹側外部シート部２６Ｆおよび腹側内部シート部２５Ｆの折り返し部分は、胴周り開口部１０Ａを構成し、胴周り開口部１０Ａをシートの２枚重ねで構成することによって、強度を高めている（図２（ｂ）中Ａ部参照）。
【００３２】
背側内側弾性部２７Ｒを構成している背側外部シート部２６Ｒおよび背側内部シート部２５Ｒは、背側上部弾性部材１５ＲＵおよび背側下部弾性部材１５ＲＤを挟み込み、第１接着剤２４で互いに接着されている。背側外部シート部２６Ｒおよび背側内部シート部２５Ｒの折り返し部分は、胴周り開口部１０Ａを構成し、胴周り開口部１０Ａをシート２枚重ねで構成することによって、強度を高めている（図２（ｂ）中Ａ部参照）。
【００３３】
腹側内側弾性部２７Ｆおよび背側内側弾性部２７Ｒにおいて、腹側内部シート部２５Ｆおよび背側内部シート部２５Ｒは、端部領域１６Ａのトップシート１９に対して接着されない非接着とされる。また、腹側内側弾性部２７Ｆおよび背側内側弾性部２７Ｒにおいて、端部領域１６Ａの周囲の領域では、胴周り開口部１０Ａで折り返された腹側内部シート部２５Ｆ同士が第２接着剤２５によって接着される。また、端部領域１６Ａのカバーシート２０も腹側内部シート部２５Ｆに対して第２接着剤２５によって接着される。
【００３４】
ここで、図３（ａ）は、上部領域の接着領域を図２（ａ）に対応して示す平面図、図３（ｂ）は、下部領域の接着領域を図２（ａ）に対応して示す平面図である。図２（ｂ）および図３（ａ）に示すように、腹側上部領域１２ＦＵにおいて、端部領域１６Ａのカバーシート２０が腹側内部シート部２５Ｆに対して第２接着剤２５によって接着される領域が、第１接着領域２２Ａとなる。また、背側上部領域１２ＲＵにおいて、端部領域１６Ａのカバーシート２０が背側内部シート部２５Ｒに対して第２接着剤２５によって接着される領域が、第１接着領域２２Ａとなる。
【００３５】
また、腹側上部領域１２ＦＵにおける腹側内側弾性部２７Ｆにおいて、第１接着領域２２Ａの周囲であって、胴周り開口部１０Ａで折り返された腹側内部シート部２５Ｆ同士が第２接着剤２５によって接着される領域が、第２接着領域２２Ｂとなる。また、背側上部領域１２ＲＵにおける背側内側弾性部２７Ｒにおいて、胴周り開口部１０Ａで折り返された背側内部シート部２５Ｒ同士が第２接着剤２５によって接着される領域が、第２接着領域２２Ｂとなる。腹側内側弾性部２７Ｆおよび背側内側弾性部２７Ｒにおける第２接着領域２２Ｂは、端部領域１６Ａの周囲に位置することで、股下部１０Ｃを向いた凹部形状を有する。この凹部形状の内側部分において、腹側内側弾性部２７Ｆおよび背側内側弾性部２７Ｒは、端部領域１６Ａのトップシート１９に対して接着されない非接着部となる。これにより、腹側内側弾性部２７Ｆの腹側内部シート部２５Ｆと端部領域１６Ａのトップシート１９との間には、腹側ポケット３０Ｆが構成される。また、背側内側弾性部２７Ｒの背側内部シート部２５Ｒと端部領域１６Ａのトップシート１９との間には、背側ポケット３０Ｒが構成される。
【００３６】
これらポケット３０Ｆ，３０Ｒは、股下部１０Ｃ側に開口端を有し、腹や背の方向に移動する尿や便などの排泄物を収容できるように構成されている。また、第２接着領域２２Ｂは、胴周り開口部１０Ａと端部領域１６Ａの前後方向Ｙの先端部との間に所定の幅を有する余白部３４を備え、ポケット３０Ｆ，３０Ｒに収容された排泄物が胴周り開口部１０Ａの方へ漏れることを抑制している。
【００３７】
また、図３（ｂ）に示すように、腹側下部領域１２ＦＤおよび背側下部領域１２ＲＤにおいて、腹側外側弾性部２８Ｆおよび背側外側弾性部２８Ｒの腹側内部シート部２５Ｆおよび背側内部シート部２５Ｒが端部領域１６Ａのバックシート１７に対して接着される領域が、第３接着領域２２Ｃとなる。
【００３８】
ここで、腹側ポケット３０Ｆおよび背側ポケット３０Ｒの大きさについて説明する。図４に示すように、例えば乳幼児の体型は、腹部３６側は股間部分において窪み部３７を有しており、背部３８側は、臀部３９が出っ張っている。したがって、腹側ポケット３０Ｆの開口端は、股間部分が窪んでいることで開いた状態になり易く、排泄物も腹側ポケット３０Ｆ内に流入し易くなる。また、腹側ポケット３０Ｆは、尿などの液体が多く流入する傾向があり、小さ過ぎると腹漏れの原因となる。そこで、腹側ポケット３０Ｆは、背側ポケット３０Ｒに対して大きく深いものとし、尿などの排泄物を収容するための容積を十分確保し、腹漏れの発生を抑えるようにしている。そして、腹側ポケット３０Ｆには、おむつ１０を廃棄する際に、腹側ポケット３０Ｆ以外の部分が丸められた状態で収容される。
【００３９】
また、背側ポケット３０Ｒは、腹側ポケット３０Ｆに対して小さく浅いものとなっているので、臀部３９によって、背側ポケット３０Ｒの開口端が塞がれにくくなっている。
【００４０】
吸収体１８の腹側端部１８Ｆは、腹側ポケット３０Ｆの最奥部の近くまで延在することで、腹側ポケット３０Ｆに流入した排泄物を吸収することができる。吸収体１８の背側端部１８Ｒは、背側ポケット３０Ｒの最奥部の近くまで延在することで、背側ポケット３０Ｒに流入した排泄物を吸収することができる。
【００４１】
以上のようなおむつ１０では、腹側外部シート部２６Ｆおよび腹側内部シート部２５Ｆが腹側上部領域１２ＦＵおよび腹側下部領域１２ＦＤに跨って設けられている。背側外部シート部２６Ｒおよび背側内部シート部２５Ｒも背側上部領域１２ＲＵおよび背側下部領域１２ＲＤに跨って設けられている。そして、腹側外部シート部２６Ｆおよび腹側内部シート部２５Ｆと背側外部シート部２６Ｒおよび背側内部シート部２５Ｒとは、接合部１１で接合されている。これにより、おむつ１０を履く際にも、脚が上部領域と下部領域との間の隙間に進入してしまい、おむつ１０が履きにくくなることを防ぐことができる。
【００４２】
また、図５（ａ）に示すように、吸収性本体１６の内面、すなわちトップシート１９上には、前後方向Ｙに沿う両端部に立体ギャザー２１が配置されている。各立体ギャザー２１は、吸収性本体１６の前後方向Ｙに延在する第１弾性部材２１Ｅと、第１弾性部材２１Ｅを挟み込む第１シートとしてのサイドシート２１Ｓとを備えている。第１弾性部材２１Ｅは、複数本が互いに平行な状態で、かつ、ホットメルト接着剤が塗布され伸長された状態でサイドシート２１Ｓに対して配置され、サイドシート２１Ｓが二つ折りされることで、サイドシート２１Ｓによって挟み込まれる。第１弾性部材２１Ｅは、弾性部材１５ＦＵ，１５ＦＤ，１５ＲＵ，１５ＲＤと同様な材料で構成されている。サイドシート２１Ｓも、トップシート１９やカバーシート２０と同様なシートで構成され、例えば、液透過性を有した不織布などを含んだ前後方向Ｙに延びる長尺のシート体で構成されている。サイドシート２１Ｓは、一例として、疎水性のシートに対して親水化処理を施すことによって形成される。また、親水性の繊維によって形成してもよい。サイドシート２１Ｓで構成された立体ギャザー２１の全体は、液透過性部を構成する。
【００４３】
サイドシート２１Ｓは、前後方向Ｙにおいて、腹側上部領域１２ＦＵ、股下部１０Ｃ、および、背側上部領域１２ＲＵに跨る長さを有している。したがって、サイドシート２１Ｓの前後方向Ｙにおける各端部は、腹側ポケット３０Ｆと背側ポケット３０Ｒの内側に位置することになる。具体的には、腹側ポケット３０Ｆと背側ポケット３０Ｒの前後方向Ｙに延びる内側縁部であって、腹側ポケット３０Ｆと背側ポケット３０Ｒの最奥部に位置している。第１弾性部材２１Ｅは、サイドシート２１Ｓの前後方向Ｙにおける長さよりも短く、腹側下部領域１２ＦＤ、股下部１０Ｃ、および、背側下部領域１２ＲＤに跨る長さを有している（図２（ａ）参照）。
【００４４】
図５（ａ）に示すように、サイドシート２１Ｓは、二つ折りされた状態で第１弾性部材２１Ｅを挟み込んでいる。折り返されて重なり合ったサイドシート２１Ｓの各端部、すなわち立体ギャザー２１の基端部２１Ｂは、吸収性本体１６のシート側縁部１８Ａにホットメルト接着剤などの接着剤によって固定される。第１弾性部材２１Ｅを挟み込んだサイドシート２１Ｓは、基端部２１Ｂと、基端部２１Ｂに対して反対側の先端部２１Ｐとを含む。さらに、サイドシート２１Ｓは、基端部２１Ｂにおける中心線Ｐに近い縁部を折返部２１Ｔとして、折返部２１Ｔから先端部２１Ｐまでが吸収性本体１６の左右方向Ｘの両端部を向くように折り返されている。第１弾性部材２１Ｅを挟み込んだサイドシート２１Ｓは、先端部２１Ｐから折返部２１Ｔまでが非接着とされ、立体ギャザー２１を立ち上がり可能としている。立体ギャザー２１は、着用者に装着されたとき、第１弾性部材２１Ｅの収縮力によって吸収性本体１６に対して肌当接方向に立ち上がる。
【００４５】
なお、腹側ポケット３０Ｆおよび背側ポケット３０Ｒの内側となる腹側上部領域１２ＦＵおよび背側上部領域１２ＲＵでは、第１弾性部材２１Ｅが存在せず、サイドシート２１Ｓの先端部２１Ｐから折返部２１Ｔまでの全領域が基端部２１Ｂやシート側縁部１８Ａに対して接着剤や熱溶着によって固定され、シール部２１Ｃとなっている（図２（ａ）参照）。
【００４６】
また、吸収性本体１６のシート側縁部１８Ａは、カバーシート２０の前後方向Ｙに沿う両側縁部を、中央側に折り返して構成されている。折り返されたシート側縁部１８Ａは、レグギャザー２３を備えている。レグギャザー２３は、シート側縁部１８Ａで吸収性本体１６の前後方向Ｙに延在する第２弾性部材２３Ｅを挟み込んで構成されている。そして、折り返されて中央側に位置する第２シートとしてのカバーシート２０の各縁部は、腹側上部領域１２ＦＵから背側上部領域１２ＲＵに跨る範囲において、接着剤によって接着されている。レグギャザー２３は、腹側ポケット３０Ｆと背側ポケット３０Ｒの前後方向Ｙに延びる内側縁部に位置している。
【００４７】
第２弾性部材２３Ｅも、複数本が互いに平行な状態で、かつ、ホットメルト接着剤が塗布され伸長された状態で、腹側下部領域１２ＦＤから股下部１０Ｃを介して背側下部領域１２ＲＤに亘って延在される。吸収性本体１６の左右方向Ｘにおける両側縁部において、立体ギャザー２１の基端部２１Ｂは、シート側縁部１８Ａに接着され、レグギャザー２３と重なっている。レグギャザー２３においても、前後方向Ｙにおける先端部は、腹側ポケット３０Ｆおよび背側ポケット３０Ｒの内側に位置することになる。
【００４８】
なお、複数本の第２弾性部材２３Ｅの内で中心線Ｐから最も遠い第２弾性部材２３Ｅ２は、バックシート１７からはみ出して位置している。これにより、シート側縁部１８Ａにおいて、バックシート１７の存在しない部分は、バックシート１７が存在しない分、柔軟性が高まり、第２弾性部材２３Ｅ２の収縮力によってより立ち上がり易くなる。
【００４９】
次に、以上のように構成されたおむつ１０の作用について説明する。
図５（ｂ）に示すように、おむつ１０は、装着されると、第２弾性部材２３Ｅが伸長し、また、内側弾性部２７Ｆ，２７Ｒがシート側縁部１８Ａを中心線Ｐ側に引っ張ることで、レグギャザー２３が立ち上がる。また、立体ギャザー２１にあっても、第１弾性部材２１Ｅが伸長し立ち上がる。脚周り開口部１０Ｌでは、２つのギャザーによる２重構造となる。そして、肌当接方向に立ち上がった立体ギャザー２１とレグギャザー２３との間には、Ｖ字形状の溝２３Ｄが形成される。
【００５０】
おむつ１０は、尿などの排泄物が排出されると、股下部１０Ｃにおける吸収性本体１６の内面を腹側および背側の方向に流れる。図６は、おむつ１０の展開状態において、排泄物の流れる方向を概念的に示したものである。排泄物は、トップシート１９を通じて吸収体１８に吸収されながらも、腹側ポケット３０Ｆの最奥部および背側ポケット３０Ｒの最奥部の方向に流れ、吸収体１８に吸収されないうちは、各ポケット３０Ｆ，３０Ｒの最奥部に貯留する。
【００５１】
ここで、着用者が寝返りなどして姿勢が変わると、ポケット３０Ｆ，３０Ｒの最奥部に貯留している排泄物は、ポケット３０Ｆ，３０Ｒの左右方向Ｘのコーナ部（Ｂ部）に向かって流れる。ポケット３０Ｆ，３０Ｒの最奥部の部分は、立体ギャザー２１にあってもレグギャザー２３にあってもシール部であって、トップシート１９の表面とほぼ面一である。そして、立体ギャザー２１も第１弾性部材２１Ｅが配設されておらず、サイドシート２１Ｓが立ち上がる場所ではない。したがって、左右方向Ｘのコーナ部に向かって流れた排泄物２３Ｘは、当該コーナ部から、立ち上がっている立体ギャザー２１とレグギャザー２３の間の溝２３Ｄに流入する（図５（ｂ）参照）。立体ギャザー２１のサイドシート２１Ｓは、液透過性であるので、溝２３Ｄに流入した排泄物２３Ｘは、サイドシート２１Ｓを透過し、吸収体１８が存在する中心線Ｐ側に戻ることになり、吸収体１８に吸収される。
【００５２】
以上、上記実施形態によれば以下に列挙する効果を得ることができる。
（１）肌当接方向に立ち上がった立体ギャザー２１とレグギャザー２３との間に形成されたＶ字形状の溝２３Ｄに排泄物２３Ｘが流入しても、サイドシート２１Ｓは液透過性であるので、溝２３Ｄ内の排泄物２３Ｘは、サイドシート２１Ｓを透過して吸収性本体１６の内側（中心線Ｐの方向）に戻り、吸収体１８に吸収される。したがって、脚周りからの横漏れすることを抑えることができる。
【００５３】
（２）立体ギャザーの２１の構造やサイドシート２１Ｓの吸収性本体１６に対する接着位置などは、既存のおむつと同じであることから、製造設備に変更を加える必要がなくなる。したがって、おむつ１０は容易に製造することができる。
【００５４】
（３）複数本の第２弾性部材２３Ｅの内で中心線Ｐから最も遠い第２弾性部材２３Ｅ２は、バックシート１７の外側にはみ出して位置している。これにより、シート側縁部１８Ａにおいて、バックシート１７の存在しない部分は、バックシート１７が存在しない分、柔軟性が高まり、第２弾性部材２３Ｅ２の収縮力によってより立ち上がり易くなり、脚周りからの横漏れを抑えることができる。
【００５５】
（４）上部領域１２ＦＵ，１２ＦＵに、端部領域１６Ａに対して内側に位置する内側弾性部２７Ｆ，２７Ｒを設け、下部領域１２ＦＤ，１２ＲＤに、端部領域１６Ａに対して外側に位置する外側弾性部２８Ｆ，２８Ｒを設けることで、端部領域１６Ａと内側弾性部２７Ｆ，２７Ｒとの間にポケット３０Ｆ，３０Ｒを設けることができる。したがって、胴周りからの漏れを抑えることができる。
【００５６】
なお、上記実施形態は以下のように適宜変更して実施することもできる。
・サイドシート２１Ｓは、肌当接方向に立ち上がったとき、中心線Ｐ側の内面を液不透過性の面２１Ｘとし、溝２３Ｄに臨む外面を親水化処理した液透過性の面２１Ｙとしてもよい（図５（ｂ）参照）。これにより、立体ギャザー２１は、左右方向Ｘにおいて、中心線Ｐに近い内側から溝２３Ｄが存在する外側に向かって排泄物が透過しにくくなり、溝２３Ｄから内側に向かっては排泄物２３Ｘを透過しやすい構成とすることもできる。
【００５７】
・立体ギャザー２１は、図５（ａ）に示すように、サイドシート２１Ｓを基端部２１Ｂにおける中心線Ｐに近い縁部を折返部２１Ｔとして、折返部２１Ｔから先端部２１Ｐまでが吸収性本体１６の左右方向Ｘの両端部を向くように折り返して構成したが、これに限らず、折返部２１Ｔで折り返すことなく、先端部２１Ｐが吸収性本体１６の左右方向Ｘの内側（中心線Ｐ側）を向く構成とするようにしてもよい。
・また、立体ギャザー２１は、図５（ａ）に示すように、基端部２１Ｂから先端部２１Ｐにかけて二重構造としたが、これに限らず、先端部２１Ｐのみを二重構造とするようにしてもよい。
【００５８】
・立体ギャザー２１は、着用者がおむつ１０を着用した際下方に位置する股下部１０Ｃに対応する領域だけを液透過性部としてもよい。例えば、疎水性の液不透過性シートに対して、液透過性部を設ける位置だけ親水化処理することによって、液透過性部を部分的に設けることができる。液透過性部は、股下部１０Ｃの中でもと特におむつ１０を装着したときに最下部に位置する領域だけに設けるようにしてもよい。
【００５９】
・吸収体１８は、図５（ａ）の状態において、一例として、トップシート１９の左右方向Ｘの両端部やカバーシート２０の両端部に対応する位置まで延長するようにしてもよい。このような場合、溝２３Ｄに流入した排泄物は、液透過性のサイドシート２１Ｓの基端部２１Ｂやトップシート１９を通じてトップシート１９の下側に位置する吸収体１８でも吸収される。
【００６０】
・吸収体１８は、腹側ポケット３０Ｆまたは背側ポケット３０Ｒの何れかに延在させないようにしてもよいし、股下部１０Ｃだけに延在させてもよい。
・背側ポケット３０Ｒの大きさは、腹側ポケット３０Ｆの大きさと同じあってもよいし、背側ポケット３０Ｒの方が腹側ポケット３０Ｆよりも大きくてもよい。
・ポケット３０Ｆ，３０Ｒの何れかを省略する構成としてもよい。
【００６１】
・バックシート１７の外側にはみ出して位置する第２弾性部材２３Ｅ２の本数は、特に限定されるものではなく、上述の例のように１本であってもよいし、複数本であってもよい。また、バックシート１７の外側にはみ出す第２弾性部材２３Ｅは設けないようにしてもよい。
【００６２】
・ポケット３０Ｆ，３０Ｒの形状は、排泄物の流入を妨げ収容できれば特に限定されるものではない。例えば、ポケット３０Ｆ，３０Ｒは、例えばポケット３０Ｆ，３０Ｒの開口端の幅が狭まった全体がΩ形状を有していてもよい。これにより、ポケット３０Ｆ，３０Ｒに入った排泄物が逆戻りすることを抑制することができる。また、ポケット３０Ｆ，３０Ｒの開口端の幅が胴周り開口部１０Ａ側の辺よりも広くてもよい。
【００６３】
・腹側外装体１２Ｆ、背側外装体１２Ｒの何れか一方の外装体が上部領域１２ＦＵ，１２ＲＵと下部領域１２ＦＤ，１２ＲＤを備える構成であってもよいし、何れの外装体も上部領域１２ＦＵ，１２ＲＵと下部領域１２ＦＤ，１２ＲＤとに区画されていない構成であってもよい。
【００６４】
・おむつ１０において、胴周り開口部１０Ａの部分が例えば１枚のシートで破れるおそれがない程度に強度を出すことができる場合、腹側内部シート部２５Ｆおよび背側内部シート部２５Ｒは、端部領域１６Ａ対して内側の位置と外側の位置で一連に繋がっていなくてもよい。すなわち、胴周り開口部１０Ａの部分は、腹側外部シート部２６Ｆおよび背側外部シート部２６Ｒだけで構成してもよい。
【００６５】
・パンツ型おむつとしては、立体ギャザー２１とレグギャザー２３とポケットを備え、吸収性本体と、腹側と背側が股下部で繋がった外装体の２ピース構造にも適用することができる。また、パンツ型のおむつに限らず、テープ型のおむつであってもよい。また、乳幼児用又は介護を必要とする高齢者や障害者等の成人用の使い捨ておむつであってもよい。
【符号の説明】
【００６６】
１０…おむつ、１０Ａ…胴周り開口部、１０Ｃ…股下部、１０Ｆ…前身頃、１０Ｌ…脚周り開口部、１０Ｒ…後身頃、１０Ｗ…胴周り部、１１…接合部、１２Ｆ…腹側外装体、１２ＦＤ…腹側下部領域、１２ＦＵ…腹側上部領域、１２Ｒ…背側外装体、１２ＲＤ…背側下部領域、１２ＲＵ…背側上部領域、１５ＦＤ…腹側下部弾性部材、１５ＦＵ…腹側上部弾性部材、１５ＲＤ，１５ＲＤ１…背側下部弾性部材、１５ＲＵ…背側上部弾性部材、１６…吸収性本体、１６Ａ…端部領域、１７…バックシート、１８…吸収体、１８Ａ…シート側縁部、１８Ｂ…周辺部、１８Ｆ…腹側端部、１８Ｒ…背側端部、１９…トップシート、２０…カバーシート、２１…立体ギャザー、２１Ｂ…基端部、２１Ｃ…シール部、２１Ｅ…第１弾性部材、２１Ｐ…先端部、２１Ｓ…サイドシート、２１Ｔ…折返部、２１Ｘ，２１Ｙ…面、２２Ａ…第１接着領域、２２Ｂ…第２接着領域、２２Ｃ…第３接着領域、２３…レグギャザー、２３Ｄ…溝、２３Ｅ…第２弾性部材、２３Ｅ２…第２弾性部材、２３Ｘ…排泄物、２４…第１接着剤、２５…第２接着剤、２５Ｆ…腹側内部シート部、２５Ｒ…背側内部シート部、２６Ｆ…腹側外部シート部、２６Ｒ…背側外部シート部、２７Ｆ…腹側内側弾性部、２７Ｒ…背側内側弾性部、２８Ｆ…腹側外側弾性部、２８Ｒ…背側外側弾性部、３０Ｆ…腹側ポケット、３０Ｒ…背側ポケット、３４…余白部、３６…腹部、３７…窪み部、３８…背部、３９…臀部。
【図１】
2019111264.tif 000003
【図２】
2019111264.tif 000004
【図３】
2019111264.tif 000005
【図４】
2019111264.tif 000006
【図５】
2019111264.tif 000007
【図６】
2019111264.tif 000008